(57)【要約】物質の弾性変形によるユーザ入力のためのシステム及び技術が、本願では記載される。弾性物質の形態は、センサにより観測され得る。観測は、弾性物質の第１及び第２の形態サンプルを含んでよい。第１及び第２の形態サンプルは、変化を確かめるよう互いに比較され得る。変化は、出力を生成するようフィルタをかけられ得る。出力はユーザ入力パラメータに変換され得る。ユーザ入力パラメータに対応するデバイスアクションが引き起こされ得る。
2017534988.tif 000002
【特許請求の範囲】
【請求項１】
物質の弾性変形による入力のためのデバイスであって、
第１の形態サンプル及び第２の形態サンプルを含む弾性物質の形態を観測するセンサと、
変化を確かめるよう前記第１の形態サンプル及び前記第２の形態サンプルを互いに比較するコンパレータと、
モデルを前記変化へ適用することによって出力を生成するフィルタと、
前記出力をユーザ入力パラメータに変換するアダプタと、
前記ユーザ入力パラメータに対応する当該デバイスのアクションを引き起こすユーザインターフェイスと
を有するデバイス。
【請求項２】
前記物質は皮膚である、
請求項１に記載のデバイス。
【請求項３】
前記モデルは、前記変化が比較されるパターンを含み、
前記出力は、前記変化が前記パターンと閾範囲内で一致するかどうかに依存する、
請求項１に記載のデバイス。
【請求項４】
前記モデルは、前記パターンを含む複数のパターンを含み、
前記出力は、前記変化が前記複数のパターンのうちのどれと対応する閾範囲内で一致するかに更に依存する、
請求項３に記載のデバイス。
【請求項５】
前記センサ、前記コンパレータ、又は前記フィルタのうちの少なくとも１つは、意図的でない変形に対応する前記弾性物質の形態変化を無視するよう較正される、
請求項１に記載のデバイス。
【請求項６】
可撓性材料を有し、
前記センサは、前記弾性物質の形態変化が前記可撓性材料において反映されるように前記弾性物質に取り付けられた前記可撓性材料に組み込まれる、
請求項１に記載のデバイス。
【請求項７】
コンテキスト信号を受信するコンテキストセンサを有する
請求項１乃至６のうちいずれか一項に記載のデバイス。
【請求項８】
前記センサは、前記コンテキスト信号が第１の状態にある場合に有効にされ、そうでない場合に無効にされる、
請求項７に記載のデバイス。
【請求項９】
前記コンテキスト信号は、他のデバイスについての近接測定である、
請求項７に記載のデバイス。
【請求項１０】
物質の弾性変形による入力のための方法であって、
第１の形態サンプル及び第２の形態サンプルを含む弾性物質の形態をセンサにより観測することと、
変化を確かめるようコンパレータにより前記第１の形態サンプル及び前記第２の形態サンプルを互いに比較することと、
モデルを前記変化へ適用することによって出力を生成するよう前記変化にフィルタをかけることと、
アダプタにより前記出力をユーザ入力パラメータに変換することと、
前記ユーザ入力パラメータに対応するデバイスのアクションを引き起こすことと
を有する方法。
【請求項１１】
前記物質は皮膚である、
請求項１０に記載の方法。
【請求項１２】
前記モデルは、前記変化が比較されるパターンを含み、
前記出力は、前記変化が前記パターンと閾範囲内で一致するかどうかに依存する、
請求項１０に記載の方法。
【請求項１３】
前記モデルは、前記パターンを含む複数のパターンを含み、
前記出力は、前記変化が前記複数のパターンのうちのどれと対応する閾範囲内で一致するかに更に依存する、
請求項１２に記載の方法。
【請求項１４】
前記センサ、前記コンパレータ、又は前記フィルタのうちの少なくとも１つは、意図的でない変形に対応する前記弾性物質の形態変化を無視するよう較正される、
請求項１０に記載の方法。
【請求項１５】
前記センサは、前記弾性物質の形態変化が可撓性材料において反映されるように前記弾性物質に取り付けられた前記可撓性材料に組み込まれる、
請求項１０に記載の方法。
【請求項１６】
コンテキスト信号を受信することを更に有し、
前記センサは、前記コンテキスト信号が第１の状態にある場合に有効にされ、そうでない場合に無効にされる、
請求項１０乃至１５のうちいずれか一項に記載の方法。
【請求項１７】
前記コンテキスト信号は、他のデバイスについての近接測定である、
請求項１６に記載の方法。
【請求項１８】
マシンによって実行される場合に、該マシンに、
第１の形態サンプル及び第２の形態サンプルを含む弾性物質の形態をセンサにより観測することと、
変化を確かめるようコンパレータにより前記第１の形態サンプル及び前記第２の形態サンプルを互いに比較することと、
モデルを前記変化へ適用することによって出力を生成するよう前記変化にフィルタをかけることと、
アダプタにより前記出力をユーザ入力パラメータに変換することと、
前記ユーザ入力パラメータに対応するデバイスのアクションを引き起こすことと
を有する動作を実施させる命令を含むプログラム。
【請求項１９】
前記物質は皮膚である、
請求項１８に記載のプログラム。
【請求項２０】
前記モデルは、前記変化が比較されるパターンを含み、
前記出力は、前記変化が前記パターンと閾範囲内で一致するかどうかに依存する、
請求項１８に記載のプログラム。
【請求項２１】
前記モデルは、前記パターンを含む複数のパターンを含み、
前記出力は、前記変化が前記複数のパターンのうちのどれと対応する閾範囲内で一致するかに更に依存する、
請求項２０に記載のプログラム。
【請求項２２】
前記センサ、前記コンパレータ、又は前記フィルタのうちの少なくとも１つは、意図的でない変形に対応する前記弾性物質の形態変化を無視するよう較正される、
請求項１８に記載のプログラム。
【請求項２３】
前記センサは、前記弾性物質の形態変化が可撓性材料において反映されるように前記弾性物質に取り付けられた前記可撓性材料に組み込まれる、
請求項１８に記載のプログラム。
【請求項２４】
前記動作は、コンテキスト信号を受信することを更に有し、
前記センサは、前記コンテキスト信号が第１の状態にある場合に有効にされ、そうでない場合に無効にされる、
請求項１８乃至２３のうちいずれか一項に記載のプログラム。
【請求項２５】
前記コンテキスト信号は、他のデバイスについての近接測定である、
請求項２４に記載のプログラム。
【請求項２６】
請求項１８乃至２５のうちいずれか一項に記載のプログラムを記憶しているマシン読出可能な媒体。
【発明の詳細な説明】
【技術分野】
【０００１】
本願で記載される実施形態は、ユーザ入力デバイスに、より具体的には、物質の弾性変形によるユーザ入力に関係がある。
【背景技術】
【０００２】
人々は、例えばキーボード、ポインティングデバイス、タッチデバイス、などのような、物理ユーザインターフェイス要素（例えば、ユーザ入力デバイス）を通じて、コンピュータデバイスと対話する。それらのデバイスは、例えば、コンピュータデバイスによって実装されるオペレーティングシステム、アプリケーション、又は他のプログラムのような、コンピュータデバイスの１つ以上の要素を操作するために使用される信号を生成するよう、物理的に操作される。
【図面の簡単な説明】
【０００３】
図面（必ずしも実寸通りではない。）において、同じ参照符号は、異なる図において同様のコンポーネントを記載し得る。異なる添え字を有している同じ参照符号は、同様のコンポーネントの異なるインスタンスを表し得る。図面は、一般に、制限ではなく、一例として、本明細書において説明される様々な実施形態を表す。
【図１】実施形態に従って、物質の弾性変形によるユーザ入力のためのシステムの一例のブロック図である。
【図２】実施形態に従って、物質の弾性変形によるユーザ入力のための装着型デバイスの一例の概略図を表す。
【図３】実施形態に従って、物質の弾性変形によるユーザ入力のために可撓性材料に組み込まれたセンサを備えた装着型デバイスの一例の概略図を表す。
【図４】実施形態に従って、物質の弾性変形によるユーザ入力のための使用ケースの一例を表す。
【図５】実施形態に従って、物質の弾性変形によるユーザ入力のためのデバイスに関して様々な弾性物質領域を表す。
【図６】Ａ〜Ｄは、実施形態に従って、デバイスによって認識され得るいくつかの入力ジェスチャを表す。
【図７】実施形態に従って、物質の弾性変形によるユーザ入力のための方法の一例のフロー図である。
【図８】１つ以上の実施形態が実施され得るマシンの一例を表すブロック図である。
【発明を実施するための形態】
【０００４】
前述のユーザ入力デバイスは、ユーザがユーザデバイスと対話することを可能にするという課題に対するいくつかの解決法を提供するが、前述のユーザ入力デバイスは、ユーザデバイスに通信上取り付けられた物理マニピュレータ（例えば、マウス、デジタルタブレット、ペン、など）を起動するか、あるいは、ユーザデバイスの物理領域を占有する（例えば、組み込み型トラックポイント、ポインタのようなジョイスティック、タッチパッド、タッチスクリーン、など）傾向がある。ユーザデバイスとは別の物理マニピュレータを有することは、扱いにくく、且つ、損失を起こす傾向があり得る。ユーザデバイスの表面に組み込まれたユーザ入力デバイスを有することは、その表現が小さい場合に（例えば、ブレスレット又はメガネを手本にした装着型デバイスのような小さいデバイスにおいて）困難な入力方法となり、且つ、限られた表面スペースのためのオプション（例えば、ディスプレイのような他のデバイス）の数を減らし得る。
【０００５】
前述のユーザ入力デバイスに対する代替の解決法は、ユーザ入力が決定され得るインタラクション・プラットフォームとして、容易に入手可能な弾性表面を使用することである。すなわち、例えばユーザの皮膚のような物質における弾性変形をモニタすることによって、ユーザ入力は、貴重なデバイスのアクセス可能面又は不格好な物理マニピュレータを使用することなしに決定され得る。このアプローチは、例えば、ユーザの皮膚又は弾性装身具、例えば、それらの物質をディスプレイ表面（例えば、グリッドを皮膚の上に表示し、グリッドとのインタラクションを検出すること）、デバイスの動きのためのランドマーク（例えば、手首の上及び下にブレスレットを動かすこと）、又は音響の検出（例えば、皮膚を伝わる音響を用いて皮膚上のタップを検出すること）として使用すること、を必要とし得る他のユーザ入力方法と対比される。物質の弾性変形を検出することは、それらの他の方法によっては実現され得ない広範なジェスチャを可能にする。
【０００６】
図１は、実施形態に従って、物質の弾性変形によるユーザ入力のためのシステム１００の一例のブロック図である。システム１００はユーザ入力デバイス１０５を含んでよい。一例において、ユーザ入力デバイス１０５はユーザデバイスであってもよい（例えば、ユーザ入力デバイスは、単にユーザ入力を供給する以上のことをする。）。一例において、システム１００は、ユーザ入力デバイス１０５からユーザ入力を受信し得る、例えば携帯電話機１４０Ａ又は装着型ヘッドセット１４０Ｂのような１つ以上の他のユーザデバイス１４０を更に含んでよい。一例において、ユーザ入力デバイス１０５は装着型デバイスである。一例において、ユーザ入力デバイス１０５はブレスレットである。
【０００７】
ユーザ入力デバイス１０５は、センサ１１０、コンパレータ１１５、フィルタ１２０、アダプタ１２５、及びユーザインターフェイス（ＵＩ）１３０を含んでよい。センサ１１０は、弾性物質の形態を観測するようにユーザ入力デバイス１０５の本体に対して位置付けられる。よって、例えば、ユーザ入力デバイス１０５の本体がブレスレットの形をしている場合には（例えば、リストウォッチ形状因子）、センサ１１０は、ブレスレットの内側、端、又は表面において位置付けられ得る。同様に、ユーザ入力デバイス１０５がペンダント形状因子にある場合には、センサ１１０は、装着されるときに胸部を観測するようにペンダントの背面に置かれ得る。弾性物質は弾性変形が可能である。すなわち、物質は変形され得、その元の形状に戻る。これに関連して、元の形状は、状況依存の閾値を下回る変動を含み得る基準である。例えば、衣服の袖は通常の衣類を通して変形し得るが、変形は、一般に、袖の一部を腕から引っ張り上げるのとは異なる特性を有する。一例において、弾性物質は皮膚である。一例において、物質は、例えばスパンデックスのような繊維又は他の弾性物質である。
【０００８】
センサ１１０は、１つ以上の検知要素を含んでよい。検知要素は、光素子（例えば、一般的な光センサ、カメラ、レーザー距離計又は他の深さ検出器、などのような、光子を検知可能なもの）、圧力素子（例えば、ひずみゲージ）、電装品素子（例えば、コンダクタンス検知素子、容量検知素子、など）、又は音響素子（例えば、超音波距離計、など）のうちのいずれか又は全てを含んでよい。センサ１１０の検知素子の一部又は全ては、少なくとも第１の形態サンプル及び第２の形態サンプルを含む、弾性物質の多数の形態サンプルを生成することに関与し得る。
【０００９】
光素子は、弾性物質から反射された光子を検知（例えば、捕捉）することによって作動する。そのような素子は、カメラ、フォトレジスタ、などを含んでよい。一例において、ユーザ入力デバイス１０５は、弾性物質からセンサ１１０へ反射するよう光を放つように位置付けられたエミッタを含む。よって、手首に装着されたユーザ入力デバイス１０５に関して、センサがブレスレットの手首側部分にある場合に、エミッタは、同様に、ブレスレットの手首側側面に位置付けられることになる。一例において、光素子は赤外線光を検知する。一例において、少なくとも第１及び第２の形態サンプルは、センサ１１０によって捕捉された画像である。
【００１０】
一例において、ユーザ入力デバイス１０５は、センサ１１０が組み込まれている可撓性材料を含んでよい。可撓性材料は、物理的に（例えば、配線などにより）、又は無線により（例えば、電磁信号、音響信号、振動信号などにより）ユーザ入力デバイス１０５へ接続され得る。可撓性材料は接着剤を含み、あるいは、接着性を有しており、弾性物質に接着されるときに作動する。接着は、弾性物質の形態的変化が可撓性材料において反映されるようにする。よって、例えば、可撓性材料に組み込まれた圧電ファイバは、例えば、それらを皮膚内に埋め込む必要なしに、形態的変化の応力（例えば、押すこと、引くこと、ねじること、など）の表れを提供し得る。一例において、可撓性材料に組み込まれている検知要素は、容量性電装素子である。
【００１１】
一例において、センサ１１０は、観測される弾性物質を複数の領域に分割し得る。それらの領域は、ある程度まで（しかし、完全にではない。）、別個であるか又は重なり合い得る。領域は、検知要素のサブセットによって定義され得る。例えば、ユーザ入力デバイス１０５の一方の側にある検知要素は、第１の領域に対応してよく、ユーザ入力デバイス１０５の他方の側にある検知要素は、第２の領域に対応してよい。
【００１２】
コンパレータ１１５は、少なくとも第１及び第２の形態サンプルを取得し（例えば、取り出し又は与えられ）、それらを互いに比較して変化を確かめ得る。一例において、形態サンプルのうちの１つは、変化を取り出すよう他方から減じられる。一例において、サンプル内の要素は比較その他を行われ、あるいは、異なる要素は識別され、変化を構成する。一例において、形態サンプルが画像である場合に、変化は、それらの画像の正規化されたバージョン間の差である。画像の正規化は、情報を低減し、サンプル間の差のより簡単な識別を可能にするよう、色の数を減らすこと、画像を共通座標にアライメントすること、エッジ検出、又は他の画像処理メカニズムを含んでよい。
【００１３】
フィルタ１２０は、モデルを変化に適用することによって出力を生成し得る。一例において、出力は、どちらにしてもバイナリである。一例において、出力は程度の問題である（例えば、値域内の値）。一例において、モデルは、変化が比較されるパターンを含み、出力は、変化が閾範囲内でパターンと一致するかどうかに依存する。閾値は、パターンと併せて、ユーザによる意図された入力動作と、起こり得る物質の偶発的な弾性変形とを区別する。例えば、単一のプローブ（例えば、指）によってユーザ入力デバイス１０５から物質を引き離すジェスチャにおいて、パターンは、ユーザ入力デバイス１０５の下の狭い部分により涙型において配置された一連のラインであってよい（例えば、凹部４１５において図４中に示される。）。通常、１つのインタラクションから次へとそのようなパターンの具体的な表現には変動が存在するので、閾値は、この変動を許容しながら、パターンに対する信義を可能にする。一例において、閾値は、入力があったはずなのに認識されなかった、又は入力がなかったはずなのに認識されたとのインジケーションに基づき、動的に調整され得る。
【００１４】
一例において、モデルは、複数のパターンを含んでよく、出力は、変化が複数のパターンのうちのどれと対応する閾範囲内で一致するかに依存する。一例において、対応する閾値は、複数のパターンに含まれるあるパターンに特有であってよく、あるいは、１つよりも多いパターンに対応してよい。様々なパターンを含むことによって、異なる弾性変形が同じセンサ１１０によって認識され得る。例えば、弾性物質を引っ張ることは、弾性物質を押すこととは異なったパターンに対応する。しかし、いずれも、記載される変化マッチングに対するパターンにより弾性物質の同じ部分において検出され得る。
【００１５】
一例において、複数のパターンに含まれるパターンは、夫々が弾性物質のジェスチャに対応する。然るに、出力は、対応するジェスチャの識別を提供する。一例において、ジェスチャのサブセットに含まれるジェスチャは、弾性物質を変形させる複数のプローブにより生じる。例えば、２本の指が弾性物質を圧搾すること、２本の指が弾性物質をねじること、などがある。それらのジェスチャのいくつかの例は、図６Ａ乃至６Ｄに関連して以下で記載される。一例において、ジェスチャのサブセットに含まれるジェスチャは、少なくとも２つの期間にわたって弾性物質を変形させるプローブにより生じる。この例では、パターンは、変化が時間にわたって１つ以上の更なる変化と結合されるように、時間成分を含み得る。よって、複数の弾性変形（例えば、ダブルタップ）はジェスチャとして認識され得る。更には、時間成分は、如何なる個別的な弾性物質のインタラクションの持続時間（例えば、ロングタップ）も特定するために使用され得る。
【００１６】
上述されたように、弾性物質のジェスチャは、単一のプローブによるインタラクション、複数のプローブによるインタラクション、及び時間にわたる複数回の単一のプローブによるインタラクション、又はそれらのあらゆる組み合わせを含んでよい。以下は、認識されるジェスチャのいくつかである。方向成分が示される場合に、それはセンサ１１０に関係している。弾性物質のジェスチャは、押すこと（push）（単一の又は複数のプローブによる）、引くこと（pull）（単一の又は複数のプローブによる）、押し下げること（depression）（例えば、皮膚の外側のような、センサ１１０にさらされている弾性物質の表面を押し込むこと）、持ち上げること（elevation）（例えば、引っ張り点において一般的な表面の向きに対して垂直に表面を引っ張ること）、圧搾すること（squeeze）（複数のプローブが弾性物質を互いに引き寄せること、例えば、ピンチ）、引き離すこと（separation）（複数のプローブが弾性物質を互いから引き離すこと）、対向すること（sheer）、又はねじること（twist）を含んでよい。上述されたように、それらの複数のプローブによるジェスチャのいくつかは、図６Ａ乃至６Ｄに関連して以下で記載される。
【００１７】
一例において、パターンは、位置要素又は向き要素を含んでよい。よって、複数のパターンは、パターンに関してのみならず、パターンが変化においてどこで見つけられるか（例えば、位置）又はパターンの向きに関しても、弾性物質のインタラクションを区別し得る。例えば、手首の皮膚における２回の引っ張り動作であって、１つは腕と平行であり、もう１つは他の角度（直角）にある動作は、別の動作として認識され得る。
【００１８】
一例において、フィルタ１２０は、弾性物質の複数の領域を識別し得る。これは、変化が導出され且つ位置し得るサンプル空間を分けることによって実現され得る。よって、位置要素は、それらの領域のうちの１つの領域内にあると決定され得る。一例において、出力は、領域内での前述のパターンマッチングに基づく。よって、異なる領域において検出される同じパターンは異なる出力を生成する。一例において、ユーザ入力パラメータは、複数の領域のうちの第１の領域における領域変化から導出されるときに、複数の領域のうちの第２の領域における領域変化から導出される場合のユーザ入力パラメータとは異なる。領域変化は、複数の領域のうちのある領域に対応する変化の部分である。
【００１９】
一例において、センサ１１０、コンパレータ１１５、又はフィルタ１２０のうちの少なくとも１つは、意図しない変形に対応する弾性物質の形態的変化を無視するよう較正される。そのような較正は、上述されたように、測定された形態的変化が、閾値を超えない限りは後のコンポーネントへ伝えられないように、閾値化することを含んでよい。一例において、センサ１１０は、閾値を制定するよう可変な感度を有し得る。一例において、コンパレータ１１５は、較正を行うよう、サンプルどうしを比較する前に、サンプルに対する正規化プロシージャを用いてよい。そのような正規化は、比較される形態サンプルの分解能を低減すること、サンプルの要素を定量化すること、などを含んでよい。一例において、フィルタ１２０によって用いられるモデルは、上述されたように、閾値化されたパターンであってよい。
【００２０】
較正は、場合によりセンサ１１０、コンパレータ１１５、又はフィルタ１２０のいずれかに特有の、トレーニング回路セットによって、実施されてよい。トレーニング回路セットは、非入力トレーニングインターバルのインジケーションを受け取り、弾性物質との意図的でないユーザインタラクションを示すものとして観測を定量化し得る。同様に、入力トレーニングインターバルが示され得る。このとき、意図的なユーザインタラクションが検出され得る。一例において、トレーニングは、例えば、静止していること、歩くこと、走ること、座ること、運転すること、などのような、種々の身体活動をモデル化するよう、以下で記載されるようなコンテキスト信号を含み得る。よって、前述の較正は、コンテキスト信号に基づき様々であり得る。
【００２１】
アダプタ１２５は、出力をユーザ入力パラメータに変換し得る。ユーザ入力パラメータは既知のデバイスに対応する。例えば、デバイスがマウスである場合には、ユーザ入力パラメータはボタンのクリック、座標、などを含み得る。一例において、変換は、ユーザ入力デバイスの選択されたモードが出力をどのユーザ入力パラメータに変換するかを定義するところのモードマップに基づき、出力をユーザパラメータにマッピングすることを含んでよい。例えば、デバイスの左側における引っ張りを表す出力は、第１のモードではオプション選択（例えば、ボタンを押すこと又はクリックのような不連続の選択）であってよく、第２のモードではオプションの連続操作（例えば、ボリューム調整、ボタン押下の保持、スクロール、などのような継続）であってよい。モード選択は、前述のジェスチャ、他のコントール（例えば、ユーザ入力デバイス１０５におけるモード選択スイッチ）、ユーザ入力デバイス１０５で実行されるアプリケーション、又は外部ソース（例えば、ユーザデバイス１４０Ａ若しくは１４０Ｂ）により実施され得る。
【００２２】
ユーザインターフェイス１３０は、ユーザ入力パラメータに対応するユーザ入力デバイス１０５のアクションを引き起こし得る。一例において、アクションは、デバイス１０５から認知可能なフィードバックを出力することを含む。この認知可能なフィードバックは、弾性物質とのインタラクションが入力として認識されたことを示すよう、振動、音響、光、などを含んでよい。この認知可能なフィードバックはまた、ユーザ入力パラメータに応答してユーザ入力デバイス１０５のアプリケーションによって提供される結果を（例えば、視覚表示を介して、可聴に、などにより）表示することを含んでよい。この最後の例は、ユーザ入力デバイスが何らかのインタラクティブ機能（例えば、ソフトウェアを実行すること）を含む場合に起こる。
【００２３】
一例において、アクションは、例えば、ユーザデバイス１４０Ａ又は１４０Ｂのいずれか一方又は両方のような他のデバイスへユーザ入力パラメータを送信することを含む。よって、ユーザ入力デバイス１０５は、それらの他のデバイスのための都合のよい入力メカニズムを提供し得る。例えば、ジェスチャは、電話をボイスメールへ転換することにマッピングされ得る。然るに、ユーザは、会議において呼び出し音を消すために、自身のポケットから電話機１４０Ａを取り出す必要がない。また、メガネ型ヘッドセットディスプレイ及びスピーカのような、タッチ可能な表面空間が制限されたデバイスは、顔の近くでの目立つジェスチャなしで、ユーザ入力デバイス１０５によって提供されるユーザ入力のフレキシビリティから恩恵を受け得る。
【００２４】
上述されたように、アダプタ１２５によって生成される具体的なユーザ入力パラメータは、モードに依存し得る。一例において、このモードは、ユーザ入力デバイス１０５の任意のコンテキストセンサ１３５から決定され得る。コンテキストセンサ１３５はコンテキスト信号を受信し得る。コンテキスト信号は、複数のとり得る状態のうちの１つであってよい。コンテキスト信号は、センサ１１０、コンパレータ１１５、フィルタ１２０、又はアダプタ１２５のうちのいずれか又は全てへの更なるコンテキスト入力であってよい。一例において、コンテキスト信号は、他のデバイスの近接測定である。一例において、コンテキスト信号は他のデバイスを識別する。一例において、コンテキスト信号は、他のデバイスのタイプを識別する。例えば、ユーザ入力デバイス１０５は、他のデバイスが存在しないことをコンテキスト信号が示す（すなわち、信号が利用可能でない）場合にセンサ１１０を無効にし、他のデバイスが特定の範囲内にある場合にセンサ１１０を有効にし得る。この検出感度は、例えば、電話機１４０Ａがユーザ入力デバイス１０５の近くにあるときにのみセンサ１１０を有効にするよう更に精緻化され得る。更には、それは、ユーザの電話機１４０Ａがユーザ入力デバイス１０５の近くにあるときにセンサ１１０を有効にするよう精緻化され得る。
【００２５】
一例において、コンテキスト信号は、コンテキスト信号の状態に基づき変化を変更するようコンパレータ１１５によって使用され得る。一例において、変化は、コンテキスト信号が第１の状態にある（例えば、近くにデバイスがない）場合に無視され、そうでない場合に正常と認められ得る。一例において、コンテキスト信号の状態は、例えば、コンテキスト信号において示されるデバイスのタイプに基づき、変化を決定する正規化標準を定義し得る。よって、より簡単な入力メカニズム（例えば、ヘッドセット１４０Ｂのスピーカのためのボリュームコントロール）は、導出され得る許容されるユーザ入力パラメータの数を犠牲にして入力エラーを減らすために、より還元的な正規化を使用し得る。
【００２６】
一例において、フィルタ１２０からのモデルはまた、出力を生成することにおいてコンテキスト信号を組み込み得る。コンパレータ１１５及びセンサ１１０に関連して上述されたように、この組み込みは、他のデバイスが近くにない場合に出力を無効にし得る。一例において、モデルは、デバイスのタイプに基づき、それが変化と照合しようと試みるパターンの数を増大又は低減する。よって、異なるデバイスは、異なる弾性物質の変形言語を有し得る。
【００２７】
一例において、コンテキスト信号は、社会的状況（social  situation）の識別である。これに関連して、社会的状況は、ユーザ及び少なくとも１人の他人を伴うものである。コンテキスト信号は、例えば、ソーシャルネットワーキングサービスからリストにおいて受け取られるように、フレンドリーデバイスを識別し得る。それらのデバイス、すなわち、社会的状況における人々のポジション、の識別は、ユーザ入力パラメータに応答して取られるユーザ入力デバイス１０５のアクションに影響を及ぼし得る。例えば、ファイルブラウザが選択されたファイルを有している場合には、社会的状況の関係者の方向における腕上のスワイプは、その関係者へのファイルの転送を開始し得る。
【００２８】
一例において、コンテキストセンサ１３５は、ユーザ入力デバイス１０５における物理インタラクティブ要素を含んでよい。物理インタラクティブ要素の例は、タッチ検知領域、スイッチ、ボタン、光センサ、などを含んでよい。よって、ユーザは、コンテキスト信号を供給するようインタラクティブ要素と直接に対話し得る。例えば、ユーザは、上述されたユーザ入力デバイス１０５のユーザ入力機能を可能にするようリストバンド上の光センサを覆ってよい。
【００２９】
図２は、実施形態に従って、物質の弾性変形によるユーザ入力のための装着型デバイス２０５の例２００の概略図を表す。例２００では、装着型デバイス２０５は、手首、腕、足首、脚、首、などのような、身体２１０の部分を取り囲む。デバイス２０５は、センサの部分として検知要素２１５、２２０及び２２５を含む。検知要素２１５、２２０及び２２５は、身体２１０を覆う弾性物質の表面を観測するように位置付けられている。図示されるように、検知要素はデバイス２０５の内側表面上にある。一例において、検知要素２１５、２２０又は２２５のうちの１つ以上は、例えば、デバイス２０５の直ぐ下では起こらない物質の弾性変形を観測するよう、デバイス２０５の端に部分的に又は完全に位置し得る。
【００３０】
図３は、実施形態に従って、物質の弾性変形によるユーザ入力のために、可撓性材料３１５に組み込まれているセンサを備えた装着型デバイス３０５（ディスプレイ３１０を含む。）の例３００の概略図を表す。図１に関連して上述されたように、可撓性材料３１５は弾性物質に接着され、それにより、弾性物質における変形は可撓性材料において反映される。可撓性材料の例は、テープ（例えば、接着裏地を有している紙、繊維、ポリマー）、塗料（例えば、溶剤中に懸濁される材料）、又は同様のものを含んでよい。また、上述されたように、センサの検知要素３２０、３２５及び３３０は可撓性材料３１５に組み込まれ得る。この組み込みは、弾性表面自体を変更すること（例えば、インプラント）を必要とせずに、ユーザ入力のために、例えば皮膚のような広い弾性表面の的確な使用を可能にする。更には、弾性物質は構造を提供するので、可撓性材料は検知要素のみを収容しさえすればよく、例えば、要素の相関的な位置を越えた構造を提供する必要はない。よって、可撓性材料は、例えば、圧力検知要素（例えば、検知要素３３０）の作動力に打ち勝つほどである必要は全くなく、むしろ単に、例えば、検知要素３２０から始めて検知要素３３０の方へ下っていくジェスチャについての作動の区別を可能にするよう、検知要素３２０、３２５、３３０の相対位置を保持しさえすればよい。
【００３１】
検知要素３２０、３２５又は３３０は、可撓性材料３１５における検知要素３２０、３２５又は３３０の包含が弾性物質自体における検知要素の包含を擬態する点で、図２に関連して上述されたものと異なり得る。よって、容量性検知素子は、遠隔地へ変形により伝えられるインタラクション位置を推測することよりむしろ、インタラクションがどこで起きたかを検出するために使用され得る（例えば、ブレスレットの下の皮膚をタッチすることは、前述の例２００のような例では変形パターンにより検出される。）。
【００３２】
図４は、実施形態に従って、物質の弾性変形によるユーザ入力についての使用ケースの一例を表す。デバイス４０５はディスプレイ４１０を含む。ディスプレイ４１０はアプリケーション出力（例えば、メッセージングアプリケーション用。）を含む。デバイス４０５は、現在のコンテキストを鑑みて受け入れられるジェスチャのインジケータを供給し得る。例えば、左側に手首を押圧すること４１５は“イエス（yes）”であり、右側に手首を押圧すること４２０は“ノー（no）”である。左の凹部４１５は、皮膚の弾性変形を表す。変形は、図１に関連して上述されたように、パターンと照合され得る応力線を含むことが知られる。また、弾性変形は、インタラクション（例えば、皮膚に指を押しつけること。）をデバイス４０５へ電信で知らせることが知られる。
【００３３】
図５は、実施形態に従って、物質の弾性変形によるユーザ入力のためのデバイス５０５に関して様々な弾性物質領域５１５〜５３５を表す。図１に関連して上述されたように、弾性物質の複数の領域５１５〜５３５は識別され得る。それらの領域５１５〜５３５は、上述されたように、要素の配置を検知すること、変化の決定、又はフィルタリングによって、識別され得る。領域の識別は、例えば位置又は向きのような、弾性物質インタラクション計測を決定することにおいて使用され得る。一例において、同じ弾性物質インタラクションは、インタラクションの起源領域に基づき、異なるユーザ入力パラメータを供給し得る。
【００３４】
デバイス５０５はディスプレイ５１０を含む。一例において、ディスプレイ５１０は、表されている文字Ａ〜Ｅの夫々に対応する簡単な発光素子を含んでよい。よって、発光ダイオード（ＬＥＤ）が、Ａによって占有される位置にあってよい。一例において、ディスプレイ５１０は、弾性物質インタラクションがユーザ入力として受け入れられる利用可能な領域に関して、ユーザへインジケーションを供給する。一例において、デバイス５０５のエミッタは、領域５１５〜５３５の存在又は境界を示すよう光を弾性物質の上に投影し得る。
【００３５】
図６Ａ乃至６Ｄは、実施形態に従って、デバイスによって認識され得るいくつかの入力ジェスチャを表す。表されているように、図６Ａ乃至６Ｄのジェスチャは２つのプローブ（例えば、指）を必要とし、矢印は、弾性物質の表面と平行なプローブの動きを表す。よって、図６Ａは、例えばピンチ（pinch）、ギャザー（gather）、などのような圧搾ジェスチャを表す。図６Ｂは、例えば引き離すこと（pulling  apart）、すなわち、圧搾とは反対である分離動作を表す。図６Ｃは、ねじり動作を表し、この動作はいずれか方向であってもよい（例えば、時計回り又は反時計回り）。図６Ｄは対向ジェスチャを表す。
【００３６】
図７は、実施形態に従って、物質の弾性変形によるユーザ入力のための方法７００の一例のフロー図である。方法７００の動作は、例えば図８に関連して後述されるようなデバイスにおいて実施される。一例において、図１に関連して上述されたコンポーネントのうちの１つ以上は、方法７００の動作を実装するために使用されてよい。
【００３７】
動作７０５で、弾性物質の形態が観測され得る。そのような観測は、デバイスのセンサによって実施され、少なくとも２つの形態サンプルを含み得る。一例において、センサはフォトニクスであり、形態を観測することは、弾性物質から反射された光子を捕捉することを含む。一例において、第１の形態サンプル及び第２の形態サンプルは、センサによって捕捉された画像である。
【００３８】
動作７１０で、２つの形態サンプルは、それらの間の変化を特定するよう比較され得る。
【００３９】
動作７１５で、動作７１０の変化は、出力を生成するようフィルタをかけられ得る。フィルタは、出力を生成するよう変化が適用されるモデルを使用してよい。一例において、モデルは、変化が比較されるパターンを含み、出力は、変化がパターンと閾範囲内で一致するかどうかに依存する。一例において、モデルは、前記パターンを含む複数のパターンを含み、出力は、変化が複数のパターンのうちのどれと対応する閾範囲内で一致するかに更に依存する。一例において、パターンは位置要素及び向き要素を含み、位置要素は、変化におけるマーカの位置に対応し、向き要素は、変化の向きに対応する。
【００４０】
一例において、複数のパターンに含まれるパターンは、弾性物質のジェスチャに対応する。一例において、ジェスチャのサブセットは、弾性物質を変形させる複数のプローブにより生じる。一例において、ジェスチャのサブセットは、時間において少なくとも２つの期間にわたって弾性物質を変形させるプローブにより生じる。一例において、弾性物質のジェスチャは、押すこと（push）、引くこと（pull）、押し下げること（depression）、持ち上げること（elevation）、圧搾すること（squeeze）、引き離すこと（separation）、対向すること（sheer）、又はねじること（twist）を含む。
【００４１】
一例において、第１の形態サンプル及び第２の形態サンプルが画像であるとき、変化は、第１の形態サンプルについての画像の正規化されたバージョンと、第２の形態サンプルについての画像の正規化されたバージョンとの間の差である。
【００４２】
動作７２０で、動作７１５の出力は、ユーザ入力パラメータに変換され得る。一例において、弾性物質の複数の領域が識別される。一例において、ユーザ入力パラメータは、複数の領域のうちの第１の領域における領域変化から導出されるときに、複数の領域のうちの第２の領域における領域変化から導出されるときのユーザ入力パラメータとは異なる。領域変化は、複数の領域に含まれるある領域に対応する変化の部分である。
【００４３】
動作７２５で、ユーザ入力パラメータに対応するデバイスのアクションが引き起こされ得る。一例において、デバイスのアクションは、認知可能なフィードバックをデバイスから出力することを含む。一例において、デバイスのアクションは、デバイスのアプリケーションへユーザ入力パラメータを供給し、アプリケーションによって供給される結果を表示することを含む。一例において、デバイスのアクションは、ユーザ入力を他のデバイスへ送信することを含む。
【００４４】
任意の動作７３０で、光は、形態サンプルを捕捉するよう発せられ得る。一例において、光は、デバイスの光センサが検知可能である波長である。一例において、光は、人の可視スペクトル範囲内にある。一例において、光は、人の可視スペクトル範囲内にない。一例において、光は赤外線である。一例において、光は、パターンを弾性物質上に提供する。一例において、パターンは、弾性物質の領域をユーザに示す。一例において、パターンは、比較のためにサンプルを正規化することを容易にする。
【００４５】
任意の動作７３５で、コンテキスト信号が受信され得る。一例において、センサは、コンテキスト信号が第１の状態にある場合に有効にされ、そうでない場合に無効にされる。一例において、動作７１０の変化は、コンテキスト信号の状態に基づき変更される。一例において、コンテキスト信号は、動作７１５の出力の生成に組み込まれる。一例において、動作７２０の変換は、変化の出力がコンテキスト信号に基づき複数のユーザ入力パラメータの中のあるユーザ入力パラメータに変換されるように、変更される。一例において、コンテキスト信号は、他のデバイスへの近接測定である。一例において、コンテキスト信号は、社会的状況の識別である。
【００４６】
図８は、本願で説明される技術（例えば、方法）のうちの１つ以上を実施し得る、例となるマシン８００のブロック図を表す。代替の実施形態では、マシン８００は、スタンドアローンのデバイスとして動作してよく、あるいは、他のマシンへ接続（ネットワーク化）されてよい。ネットワーク化された配置では、マシン８００は、サーバ−クライアント・ネットワーク環境において、サーバマシン、クライアントマシン、又はその両方として動作し得る。一例において、マシン８００は、ピア・ツー・ピア（Ｐ２Ｐ）（又は他の分散型）ネットワーク環境におけるピアマシンとして働き得る。マシン８００は、パーソナルコンピュータ（ＰＣ）、タブレットＰＣ、セットトップボックス（ＳＴＢ）、パーソナルデジタルアシスタント（ＰＤＡ）、携帯電話機、ウェブアプライアンス、ネットワークルータ、スイッチ若しくはブリッジ、又はそのマシンによって取られるべき動作を特定する命令を（シーケンシャル又は他。）を実行可能なあらゆるマシンであってよい。更には、単一のマシンしか表されていないが、語「マシン」はまた、例えばクラウドコンピューティング、ソフトウェア・アズ・ア・サービス（ＳａａＳ）、他のコンピュータクラスタ構成のような、本願で説明される方法のうちのいずれか１つ以上を実施するよう命令の組（又は複数の組）を個々に又はまとめて実行するマシンの如何なる集合も含むと理解されるべきである。
【００４７】
本願で記載される例は、ロジック、又は多数のコンポーネント若しくはメカニズムを含んでよく、あるいは、それらによって動作してよい。回路セットは、ハードウェア（例えば、単純な回路、ゲート、ロジック、など）を含む有形なエンティティにおいて実装される回路の集合である。回路セットの構成要素は、時間及び基盤となるハードウェアのばらつきに対してフレキシブルであり得る。回路セットは、作動時に特定の動作を単独で又は組み合わせて実施し得る構成要素を含む。一例において、回路セットのハードウェアは、特定の動作を実施するよう不変に設計（ハードワイヤード）され得る。一例において、回路セットのハードウェアは、特定の動作の命令を符号化するよう物理的に（例えば、磁気的に、電気的に、不変質量粒子の可動配置、など。）変更されたコンピュータ可読媒体を含む、可変的に接続された物理コンポーネント（例えば、実行ユニット、トランジスタ、単純な回路、など）を含んでよい。物理コンポーネントを接続することにおいて、ハードウェア構成要素の基盤となる電気特性は、例えば、絶縁体から導電体へ又はその逆に、変更される。命令は、組み込みハードウェア（例えば、実行ユニット又はローディング機構）が、作動時に特定の動作の部分を実施するよう可変な接続を介してハードウェア内の回路セットの構成要素を作り出すことを可能にする。然るに、コンピュータ可読媒体は、デバイスが作動しているときに回路セットの構成要素の他のコンポーネントへ通信上結合される。一例において、物理コンポーネントのいずれも、１つよりも多い回路セットの１つよりも多い構成要素において使用されてよい。例えば、動作中に、実行ユニットは、ある時点で第１の回路セットの第１の回路において使用され、別の時点で第１の回路セット内の第２の回路によって又は第２の回路セット内の第３の回路によって再利用され得る。
【００４８】
マシン（例えば、コンピュータシステム）８００は、ハードウェアプロセッサ８０２（例えば、中央演算処理装置（ＣＰＵ；central  processing  unit）、グラフィクス処理ユニット（ＧＰＵ；graphics  processing  unit）、ハードウェアプロセッサコア、又はそれらのあらゆる組み合わせ）、メインメモリ８０４、及び静的メモリ８０６を含んでよい。それらのうちの一部又は全ては、インターリンク（例えば、バス）８０８を介して互いと通信し得る。マシン８００は、表示ユニット８１０、英数字入力デバイス８１２（例えば、キーボード）、及びユーザインターフェイス（ＵＩ；user  interface）ナビゲーションデバイス８１４（例えば、マウス）を更に含んでよい。一例において、表示ユニット８１０、入力デバイス８１２及びＵＩナビゲーションデバイス８１４は、タッチスクリーンディスプレイであってよい。マシン８００は、記憶デバイス（例えば、ドライブユニット）８１６、信号発生デバイス８１８（例えば、スピーカ）、ネットワークインターフェイスデバイス８２０、及び１つ以上のセンサ８２１、例えば、グローバルポジショニングシステム（ＧＰＳ；global  positioning  system）センサ、コンパス、加速度計、又は他のセンサを更に含んでよい。マシン８００は、出力コントローラ８２８、例えば、１つ以上の周辺機器（例えば、プリンタ、カード読み取り機、など）と通信し又はそれらを制御するためのシリアル（例えば、ユニバーサルシリアルバス（ＵＳＢ；universal  serial  bus）、パラレル、又は他の有線若しくは無線（例えば、赤外線（ＩＲ；infrared）、近距離通信（ＮＦＣ；near  field  communication）、など）接続を含んでよい。
【００４９】
記憶デバイス８１６は、本願で記載される技術又は機能のうちのいずれか１つ以上によって具現する又は利用されるデータ構造又は命令８２４（例えば、ソフトウェア）の１つ以上の組が記憶されているマシン読出可能な媒体８２２を含んでよい。命令８２４はまた、マシン８００によるその実行中に、完全に又は少なくとも部分的に、メインメモリ８０４内、静的メモリ８０６内、又はハードウェアプロセッサ８０２内にあってよい。一例において、ハードウェアプロセッサ８０２、メインメモリ８０４、静的メモリ８０６、又は記憶デバイス８１６の１つ又はいずれかの組み合わせは、マシン読出可能な媒体を構成し得る。
【００５０】
マシン読出可能な媒体８２２は単一の媒体として表されているが、語「マシン読出可能な媒体」は、１つ以上の命令８２４を記憶するよう構成される単一の媒体又は複数の媒体（例えば、中央集権型若しくは分散型データベース、並びに／又は関連するキャッシュ及びサーバ）を含み得る。
【００５１】
語「マシン読出可能な媒体」は、マシン８００による実行のために命令を記憶、符号化、又は搬送することができ、マシン８００に本開示の技術のいずれか１つ以上を実施させ、あるいは、そのような命令によって使用される又はそのような命令と関連するデータ構造を記憶、符号化又は搬送することができる如何なる媒体も含み得る。非制限的なマシン読出可能な媒体の例は、ソリッドステート・メモリ並びに光学及び磁気媒体を含み得る。一例において、集合的な（massed）マシン読出可能な媒体は、不変（例えば、静止）質量を有している複数の粒子によるマシン読出可能な媒体を有する。然るに、集合的なマシン読出可能な媒体は、一時的な伝播信号ではない。集合的なマシン読出可能な媒体の具体例には、不揮発性メモリ、例えば、半導体メモリデバイス（例えば、電気的プログラム可能リードオンリーメモリ（ＥＰＲＯＭ；Electrically  Programmable  Read-Only  Memory）、電気的消去可能なプログラム可能リードオンリーメモリ（ＥＥＰＲＯＭ；Electrically  Erasable  Programmable  Read-Only  Memory）及びフラッシュメモリデバイス）、磁気ディスク、例えば、内部ハードディスク及びリムーバブルディスク、光学磁気ディスク、並びにＣＤ−ＲＯＭ及びＤＶＤ−ＲＯＭディスクがある。
【００５２】
命令８２４は更に、多数の転送プロトコル（例えば、フレームリレー、インターネットプロトコル（ＩＰ；internet  protocol）、送信制御プロトコル（ＴＣＰ；transmission  control  protocol）、ユーザデータグラムプロトコル（ＵＤＰ；user  datagram  protocol）、ハイパーテキスト転送プロトコル（ＨＴＴＰ；hypertext  transfer  protocol）など）のうちのいずれか１つを利用するネットワークインターフェイスデバイス８２０を介して伝送媒体を用いて通信ネットワーク８２６上で送信又は受信され得る。例となる通信ネットワークは、とりわけ、ローカルエリアネットワーク（ＬＡＮ；local  area  network）、ワイドエリアネットワーク（ＷＡＮ；wide  area  network）、パケットデータネットワーク（例えば、インターネット）、携帯電話ネットワーク（例えば、セルラーネットワーク）、基本電話サービス（ＰＯＴＳ；Plain  Old  Telephone  Service）ネットワーク、及び無線データネットワーク（例えば、Ｗｉ−Ｆｉ（登録商標）として知られている標準の電気電子技術者協会（ＩＥＥＥ；Institute  of  Electrical  and  Electronics  Engineers）８０２．１１ファミリー、ＷｉＭａｘ（登録商標）として知られている標準のＩＥＥＥ８０２．１６ファミリー）、標準のＩＥＥＥ８０２．１５．４ファミリー、ピア・ツー・ピア（Ｐ２Ｐ）ネットワークを含んでよい。一例において、ネットワークインターフェイスデバイス８２０は、通信ネットワーク８２６へ接続するための１つ以上の物理ジャック（例えば、Ｅｔｈｅｒｎｅｔ（登録商標）、同軸、若しくは電話ジャック）又は１つ以上のアンテナを含んでよい。一例において、ネットワークインターフェイスデバイス８２０は、単入力多出力（ＳＩＭＯ；single-input  multiple-output）、多入力多出力（ＭＩＭＯ；multiple-input  multiple-output）、又は多入力単出力（ＭＩＳＯ；multiple-input  single-output）技術のうちの少なくとも１つを用いて無線通信する複数のアンテナを含んでよい。語「伝送媒体」は、マシン８００による実行のために命令を記憶、符号化又は搬送することができ、そのようなソフトウェアの通信を助けるようデジタル若しくはアナログ通信信号又は他の無形媒体を含む如何なる無形媒体も含むと解されるべきである。
【００５３】
［優先出願］
本願は、２０１４年１１月１１日に出願された米国特許出願第１４／５３８３９０号に基づく優先権を主張するものである。なお、優先権を主張する基礎となる米国特許出願は、その全文を参照により本願に援用される。
【００５４】
［付記及び例］
例１は、第１の形態サンプル及び第２の形態サンプルを含む弾性物質の形態を観測するセンサと、変化を確かめるよう前記第１の形態サンプル及び前記第２の形態サンプルを互いに比較するコンパレータと、モデルを前記変化へ適用することによって出力を生成するフィルタと、前記出力をユーザ入力パラメータに変換するアダプタと、前記ユーザ入力パラメータに対応するデバイスのアクションを引き起こすユーザインターフェイスとを有する対象（例えば、物質の弾性変形によるユーザ入力のためのシステム、装置、又はデバイス）を含んでよい。
【００５５】
例２において、例１の対象は、前記物質が皮膚である、ことを任意に含んでよい。
【００５６】
例３において、例１乃至２のうちいずれかの対象は、前記物質が繊維である、ことを任意に含んでよい。
【００５７】
例４において、例１乃至３のうちいずれかの対象は、前記モデルが、前記変化が比較されるパターンを含み、前記出力が、前記変化が前記パターンと閾範囲内で一致するかどうかに依存する、ことを任意に含んでよい。
【００５８】
例５において、例４の対象は、前記モデルが、前記パターンを含む複数のパターンを含み、前記出力が、前記変化が前記複数のパターンのうちのどれと対応する閾範囲内で一致するかに更に依存する、ことを任意に含んでよい。
【００５９】
例６において、例５の対象は、前記複数のパターンに含まれるパターンが弾性物質のジェスチャに対応する、ことを任意に含んでよい。
【００６０】
例７において、例６の対象は、前記ジェスチャのサブセットが、前記弾性物質を変形させる複数のプローブによって生じる、ことを任意に含んでよい。
【００６１】
例８において、例６乃至７のうちいずれかの対象は、前記ジェスチャのサブセットが、時間において少なくとも２つの期間にわたって前記弾性物質を変形させるプローブによって生じる、ことを任意に含んでよい。
【００６２】
例９において、例６乃至８のうちいずれかの対象は、前記弾性物質のジェスチャが、押すこと、引くこと、押し下げること、持ち上げること、圧搾すること、引き離すこと、対向すること、又はねじることのうちの少なくとも１つを含む、ことを任意に含んでよい。
【００６３】
例１０において、例４乃至９のうちいずれかの対象は、前記パターンが位置要素及び向き要素を含み、前記位置要素が前記変化におけるマーカの位置に対応し、前記向き要素が前記変化の向きに対応する、ことを任意に含んでよい。
【００６４】
例１１において、例１乃至１０のうちいずれかの対象は、前記センサ又は前記フィルタのうちの少なくとも１つが前記弾性物質の複数の領域を識別する、ことを任意に含んでよい。
【００６５】
例１２において、例１１の対象は、前記複数の領域の中の第１の領域における領域変化から導き出されるときの前記ユーザ入力パラメータが、前記複数の領域の中の第２の領域における領域変化から導き出されるときの前記ユーザ入力パラメータとは異なり、前記領域変化が、前記複数の領域の中のある領域に対応する前記変化の部分である、ことを任意に含んでよい。
【００６６】
例１３において、例１乃至１２のうちいずれかの対象は、前記センサ、前記コンパレータ、又は前記フィルタのうちの少なくとも１つが、意図的でない変形に対応する前記弾性物質の形態変化を無視するよう較正される、ことを任意に含んでよい。
【００６７】
例１４において、例１乃至１３のうちいずれかの対象は、前記センサがフォトニクスである、ことを任意に含んでよい。
【００６８】
例１５において、例１４の対象は、前記形態を観測することが、前記弾性物質から反射された光子を捕捉することを含む、ことを任意に含んでよい。
【００６９】
例１６において、例１５の対象は、前記第１の形態サンプル及び前記第２の形態サンプルが前記センサによって捕捉された画像である、ことを任意に含んでよい。
【００７０】
例１７において、例１６の対象は、前記変化が、前記第１の形態サンプルについての画像の正規化されたバージョンと、前記第２の形態サンプルについての画像の正規化されたバージョンとの間の差である、ことを任意に含んでよい。
【００７１】
例１８において、例１４乃至１７のうちいずれかの対象は、前記弾性物質から前記センサへ反射する光を放つよう位置付けられたエミッタを任意に含んでよく、前記センサは前記光の波長を検知する。
【００７２】
例１９において、例１８の対象は、前記波長が赤外線である、ことを任意に含んでよい。
【００７３】
例２０において、例１乃至１９のうちいずれかの対象は、前記センサが圧力センサである、ことを任意に含んでよい。
【００７４】
例２１において、例１乃至２０のうちいずれかの対象は、前記センサが電装品センサである、ことを任意に含んでよい。
【００７５】
例２２において、例２１の対象は、前記電装品がコンダクタンス又はキャパシタンスのうちの少なくとも１つである、ことを任意に含んでよい。
【００７６】
例２３において、例１乃至２２の対象は、可撓性材料を任意に含んでよく、前記センサは、前記弾性物質の形態変化が前記可撓性材料において反映されるように前記弾性物質に取り付けられた前記可撓性材料に組み込まれる。
【００７７】
例２４において、例１乃至２３の対象は、コンテキスト信号を受信するコンテキストセンサを任意に含んでよい。
【００７８】
例２５において、例２４の対象は、前記センサが、前記コンテキスト信号が第１の状態にある場合に有効にされ、そうでない場合に無効にされる、ことを任意に含んでよい。
【００７９】
例２６において、例２４乃至２５のうちいずれかの対象は、前記コンパレータが前記コンテキスト信号の状態に基づき前記変化を変更する、ことを任意に含んでよい。
【００８０】
例２７において、例２４乃至２６のうちいずれかの対象は、前記モデルが、前記出力を生成することにおいて前記コンテキスト信号を組み込む、ことを任意に含んでよい。
【００８１】
例２８において、例２４乃至２７のうちいずれかの対象は、前記アダプタが、前記コンテキスト信号に基づき複数のユーザ入力パラメータの中の前記ユーザ入力パラメータに前記変化の前記出力を変換する、ことを任意に含んでよい。
【００８２】
例２９において、例２４乃至２８のうちいずれかの対象は、前記コンテキスト信号が他のデバイスについての近接測定である、ことを任意に含んでよい。
【００８３】
例３０において、例２４乃至２９のうちいずれかの対象は、前記コンテキスト信号が社会的状況の識別である、ことを任意に含んでよい。
【００８４】
例３１において、例１乃至３０のうちいずれかの対象は、前記デバイスの前記アクションが前記ユーザ入力を他のデバイスへ送信することを含む、ことを任意に含んでよい。
【００８５】
例３２において、例１乃至３１のうちいずれかの対象は、前記デバイスの前記アクションが知覚可能なフィードバックを前記デバイスから出力することを含む、ことを任意に含んでよい。
【００８６】
例３３において、例３３の対象は、前記デバイスの前記アクションが前記ユーザ入力パラメータを前記デバイスのアプリケーションへ供給し、該アプリケーションによって供給される結果を表示することを含む、ことを任意に含んでよい。
【００８７】
例３４において、例１乃至３３のうちいずれかの対象は、前記デバイスが装着型デバイスである、ことを任意に含んでよい。
【００８８】
例３５において、例３４の対象は、前記デバイスがブレスレットである、ことを任意に含んでよい。
【００８９】
例３６は、第１の形態サンプル及び第２の形態サンプルを含む弾性物質の形態をセンサにより観測することと、変化を確かめるようコンパレータにより前記第１の形態サンプル及び前記第２の形態サンプルを互いに比較することと、モデルを前記変化へ適用することによって出力を生成するよう前記変化にフィルタをかけることと、アダプタにより前記出力をユーザ入力パラメータに変換することと、前記ユーザ入力パラメータに対応するデバイスのアクションを引き起こすこととを有する対象（例えば、方法、動作を実行する手段、又はマシンによって実行される場合に該マシンに動作を実施させる命令を含むマシン読出可能な媒体）を含んでよく、あるいは、そのような対象を含めるよう、例１乃至３５のいずれかの対象と任意に組み合わされてよい。
【００９０】
例３７において、例３６の対象は、前記物質が皮膚である、ことを任意に含んでよい。
【００９１】
例３８において、例３６乃至３７のうちいずれかの対象は、前記物質が繊維である、ことを任意に含んでよい。
【００９２】
例３９において、例３６乃至３８のうちいずれかの対象は、前記モデルが、前記変化が比較されるパターンを含み、前記出力が、前記変化が前記パターンと閾範囲内で一致するかどうかに依存する、ことを任意に含んでよい。
【００９３】
例４０において、例３９の対象は、前記モデルが、前記パターンを含む複数のパターンを含み、前記出力が、前記変化が前記複数のパターンのうちのどれと対応する閾範囲内で一致するかに更に依存する、ことを任意に含んでよい。
【００９４】
例４１において、例４０の対象は、前記複数のパターンに含まれるパターンが弾性物質のジェスチャに対応する、ことを任意に含んでよい。
【００９５】
例４２において、例４１の対象は、前記ジェスチャのサブセットが、前記弾性物質を変形させる複数のプローブによって生じる、ことを任意に含んでよい。
【００９６】
例４３において、例４２の対象は、前記ジェスチャのサブセットが、時間において少なくとも２つの期間にわたって前記弾性物質を変形させるプローブによって生じる、ことを任意に含んでよい。
【００９７】
例４４において、例４２乃至４３のうちいずれかの対象は、前記弾性物質のジェスチャが、押すこと、引くこと、押し下げること、持ち上げること、圧搾すること、引き離すこと、対向すること、又はねじることのうちの少なくとも１つを含む、ことを任意に含んでよい。
【００９８】
例４５において、例４０乃至４４のうちいずれかの対象は、前記パターンが位置要素及び向き要素を含み、前記位置要素が前記変化におけるマーカの位置に対応し、前記向き要素が前記変化の向きに対応する、ことを任意に含んでよい。
【００９９】
例４６において、例３６乃至４５のうちいずれかの対象は、前記センサ又は前記フィルタのうちの少なくとも１つが前記弾性物質の複数の領域を識別する、ことを任意に含んでよい。
【０１００】
例４７において、例４６の対象は、前記複数の領域の中の第１の領域における領域変化から導き出されるときの前記ユーザ入力パラメータが、前記複数の領域の中の第２の領域における領域変化から導き出されるときの前記ユーザ入力パラメータとは異なり、前記領域変化が、前記複数の領域の中のある領域に対応する前記変化の部分である、ことを任意に含んでよい。
【０１０１】
例４８において、例３６乃至４７のうちいずれかの対象は、前記センサ、前記コンパレータ、又は前記フィルタのうちの少なくとも１つが、意図的でない変形に対応する前記弾性物質の形態変化を無視するよう較正される、ことを任意に含んでよい。
【０１０２】
例４９において、例３６乃至４８のうちいずれかの対象は、前記センサがフォトニクスである、ことを任意に含んでよい。
【０１０３】
例５０において、例４９の対象は、前記形態を観測することが、前記弾性物質から反射された光子を捕捉することを含む、ことを任意に含んでよい。
【０１０４】
例５１において、例５０の対象は、前記第１の形態サンプル及び前記第２の形態サンプルが前記センサによって捕捉された画像である、ことを任意に含んでよい。
【０１０５】
例５２において、例５１の対象は、前記変化が、前記第１の形態サンプルについての画像の正規化されたバージョンと、前記第２の形態サンプルについての画像の正規化されたバージョンとの間の差である、ことを任意に含んでよい。
【０１０６】
例５３において、例４９乃至５２のうちいずれかの対象は、前記弾性物質から前記センサへ反射する光を放つよう位置付けられたエミッタを任意に含んでよく、前記センサは前記光の波長を検知する。
【０１０７】
例５４において、例５３の対象は、前記波長が赤外線である、ことを任意に含んでよい。
【０１０８】
例５５において、例３６乃至５４のうちいずれかの対象は、前記センサが圧力センサである、ことを任意に含んでよい。
【０１０９】
例５６において、例３６乃至５５のうちいずれかの対象は、前記センサが電装品センサである、ことを任意に含んでよい。
【０１１０】
例５７において、例５６の対象は、前記電装品がコンダクタンス又はキャパシタンスのうちの少なくとも１つである、ことを任意に含んでよい。
【０１１１】
例５８において、例３６乃至５７の対象は、前記センサが、前記弾性物質の形態変化が可撓性材料において反映されるように前記弾性物質に取り付けられた前記可撓性材料に組み込まれる、ことを任意に含んでよい。
【０１１２】
例５９において、例３６乃至５８の対象は、コンテキスト信号を受信することを任意に含んでよい。
【０１１３】
例６０において、例５９の対象は、前記センサが、前記コンテキスト信号が第１の状態にある場合に有効にされ、そうでない場合に無効にされる、ことを任意に含んでよい。
【０１１４】
例６１において、例５９乃至６０のうちいずれかの対象は、前記コンテキスト信号の状態に基づき前記変化を変更することを任意に含んでよい。
【０１１５】
例６２において、例５９乃至６１のうちいずれかの対象は、前記モデルが、前記出力を生成することにおいて前記コンテキスト信号を組み込む、ことを任意に含んでよい。
【０１１６】
例６３において、例５９乃至６２のうちいずれかの対象は、前記変換することが、前記コンテキスト信号に基づき複数のユーザ入力パラメータの中の前記ユーザ入力パラメータに前記変化の前記出力を変換することを含む、ことを任意に含んでよい。
【０１１７】
例６４において、例５９乃至６３のうちいずれかの対象は、前記コンテキスト信号が他のデバイスについての近接測定である、ことを任意に含んでよい。
【０１１８】
例６５において、例５９乃至６４のうちいずれかの対象は、前記コンテキスト信号が社会的状況の識別である、ことを任意に含んでよい。
【０１１９】
例６６において、例３６乃至６５のうちいずれかの対象は、前記デバイスの前記アクションが前記ユーザ入力を他のデバイスへ送信することを含む、ことを任意に含んでよい。
【０１２０】
例６７において、例３６乃至６６のうちいずれかの対象は、前記デバイスの前記アクションが知覚可能なフィードバックを前記デバイスから出力することを含む、ことを任意に含んでよい。
【０１２１】
例６８において、例６７の対象は、前記デバイスの前記アクションが前記ユーザ入力パラメータを前記デバイスのアプリケーションへ供給し、該アプリケーションによって供給される結果を表示することを含む、ことを任意に含んでよい。
【０１２２】
例６９において、例３６乃至６８のうちいずれかの対象は、前記デバイスが装着型デバイスである、ことを任意に含んでよい。
【０１２３】
例７０において、例６９の対象は、前記デバイスがブレスレットである、ことを任意に含んでよい。
【０１２４】
例７１において、少なくとも１つのマシン読出可能な媒体は、マシンによって実行される場合に該マシンに例３６乃至７０のうちいずれかの対象を実施させる命令を含む。
【０１２５】
例７２において、システムは、例３６乃至７０の対象のいずれかを実施する手段を含む。
【０１２６】
例７３は、第１の形態サンプル及び第２の形態サンプルを含む弾性物質の形態をセンサにより観測する手段と、変化を確かめるようコンパレータにより前記第１の形態サンプル及び前記第２の形態サンプルを互いに比較する手段と、モデルを前記変化へ適用することによって出力を生成するよう前記変化にフィルタをかける手段と、アダプタにより前記出力をユーザ入力パラメータに変換する手段と、前記ユーザ入力パラメータに対応するデバイスのアクションを引き起こす手段とを有する対象（例えば、物質の弾性変形によるユーザ入力のためのデバイス、装置、又はシステム）を含んでよく、あるいは、そのような対象を含めるよう、例１乃至７２のいずれかの対象と任意に組み合わされてよい。
【０１２７】
例７４において、例７３の対象は、前記物質が皮膚である、ことを任意に含んでよい。
【０１２８】
例７５において、例７３乃至７４のうちいずれかの対象は、前記物質が繊維である、ことを任意に含んでよい。
【０１２９】
例７６において、例７３乃至７５のうちいずれかの対象は、前記モデルが、前記変化が比較されるパターンを含み、前記出力が、前記変化が前記パターンと閾範囲内で一致するかどうかに依存する、ことを任意に含んでよい。
【０１３０】
例７７において、例７６の対象は、前記モデルが、前記パターンを含む複数のパターンを含み、前記出力が、前記変化が前記複数のパターンのうちのどれと対応する閾範囲内で一致するかに更に依存する、ことを任意に含んでよい。
【０１３１】
例７８において、例７７の対象は、前記複数のパターンに含まれるパターンが弾性物質のジェスチャに対応する、ことを任意に含んでよい。
【０１３２】
例７９において、例７８の対象は、前記ジェスチャのサブセットが、前記弾性物質を変形させる複数のプローブによって生じる、ことを任意に含んでよい。
【０１３３】
例８０において、例７９の対象は、前記ジェスチャのサブセットが、時間において少なくとも２つの期間にわたって前記弾性物質を変形させるプローブによって生じる、ことを任意に含んでよい。
【０１３４】
例８１において、例７９乃至８０のうちいずれかの対象は、前記弾性物質のジェスチャが、押すこと、引くこと、押し下げること、持ち上げること、圧搾すること、引き離すこと、対向すること、又はねじることのうちの少なくとも１つを含む、ことを任意に含んでよい。
【０１３５】
例８２において、例７７乃至８１のうちいずれかの対象は、前記パターンが位置要素及び向き要素を含み、前記位置要素が前記変化におけるマーカの位置に対応し、前記向き要素が前記変化の向きに対応する、ことを任意に含んでよい。
【０１３６】
例８３において、例７３乃至８２のうちいずれかの対象は、前記センサ又は前記フィルタのうちの少なくとも１つが前記弾性物質の複数の領域を識別する、ことを任意に含んでよい。
【０１３７】
例８４において、例８３の対象は、前記複数の領域の中の第１の領域における領域変化から導き出されるときの前記ユーザ入力パラメータが、前記複数の領域の中の第２の領域における領域変化から導き出されるときの前記ユーザ入力パラメータとは異なり、前記領域変化が、前記複数の領域の中のある領域に対応する前記変化の部分である、ことを任意に含んでよい。
【０１３８】
例８５において、例７３乃至８４のうちいずれかの対象は、前記センサ、前記コンパレータ、又は前記フィルタのうちの少なくとも１つが、意図的でない変形に対応する前記弾性物質の形態変化を無視するよう較正される、ことを任意に含んでよい。
【０１３９】
例８６において、例７３乃至８５のうちいずれかの対象は、前記センサがフォトニクスである、ことを任意に含んでよい。
【０１４０】
例８７において、例８６の対象は、前記形態を観測することが、前記弾性物質から反射された光子を捕捉することを含む、ことを任意に含んでよい。
【０１４１】
例８８において、例８７の対象は、前記第１の形態サンプル及び前記第２の形態サンプルが前記センサによって捕捉された画像である、ことを任意に含んでよい。
【０１４２】
例８９において、例８８の対象は、前記変化が、前記第１の形態サンプルについての画像の正規化されたバージョンと、前記第２の形態サンプルについての画像の正規化されたバージョンとの間の差である、ことを任意に含んでよい。
【０１４３】
例９０において、例８６乃至８９のうちいずれかの対象は、前記弾性物質から前記センサへ反射する光を放つよう位置付けられたエミッタにより光を放つ手段を任意に含んでよく、前記センサは前記光の波長を検知する。
【０１４４】
例９１において、例９０の対象は、前記波長が赤外線である、ことを任意に含んでよい。
【０１４５】
例９２において、例７３乃至９１のうちいずれかの対象は、前記センサが圧力センサである、ことを任意に含んでよい。
【０１４６】
例９３において、例７３乃至９２のうちいずれかの対象は、前記センサが電装品センサである、ことを任意に含んでよい。
【０１４７】
例９４において、例９３の対象は、前記電装品がコンダクタンス又はキャパシタンスのうちの少なくとも１つである、ことを任意に含んでよい。
【０１４８】
例９５において、例７３乃至９４の対象は、前記センサが、前記弾性物質の形態変化が可撓性材料において反映されるように前記弾性物質に取り付けられた前記可撓性材料に組み込まれる、ことを任意に含んでよい。
【０１４９】
例９６において、例７３乃至９５の対象は、コンテキスト信号を受信する手段を任意に含んでよい。
【０１５０】
例９７において、例９６の対象は、前記センサが、前記コンテキスト信号が第１の状態にある場合に有効にされ、そうでない場合に無効にされる、ことを任意に含んでよい。
【０１５１】
例９８において、例９６乃至９７のうちいずれかの対象は、前記コンテキスト信号の状態に基づき前記変化を変更する手段を任意に含んでよい。
【０１５２】
例９９において、例９６乃至９８のうちいずれかの対象は、前記モデルが、前記出力を生成することにおいて前記コンテキスト信号を組み込む、ことを任意に含んでよい。
【０１５３】
例１００において、例９６乃至９９のうちいずれかの対象は、前記変換する手段、前記コンテキスト信号に基づき複数のユーザ入力パラメータの中の前記ユーザ入力パラメータに前記変化の前記出力を変換する手段を含む、ことを任意に含んでよい。
【０１５４】
例１０１において、例９６乃至１００のうちいずれかの対象は、前記コンテキスト信号が他のデバイスについての近接測定である、ことを任意に含んでよい。
【０１５５】
例１０２において、例９６乃至１０１のうちいずれかの対象は、前記コンテキスト信号が社会的状況の識別である、ことを任意に含んでよい。
【０１５６】
例１０３において、例７３乃至１０２のうちいずれかの対象は、前記デバイスの前記アクションが前記ユーザ入力を他のデバイスへ送信することを含む、ことを任意に含んでよい。
【０１５７】
例１０４において、例７３乃至１０３のうちいずれかの対象は、前記デバイスの前記アクションが知覚可能なフィードバックを前記デバイスから出力することを含む、ことを任意に含んでよい。
【０１５８】
例１０５において、例１０４の対象は、前記デバイスの前記アクションが前記ユーザ入力パラメータを前記デバイスのアプリケーションへ供給し、該アプリケーションによって供給される結果を表示することを含む、ことを任意に含んでよい。
【０１５９】
例１０６において、例７３乃至１０５のうちいずれかの対象は、前記デバイスが装着型デバイスである、ことを任意に含んでよい。
【０１６０】
例１０７において、例１０６の対象は、前記デバイスがブレスレットである、ことを任意に含んでよい。
【０１６１】
前述の説明は、詳細な説明の一部を形成する添付の図面の参照を含む。図面は、例証として、実施され得る具体的な実施形態を示す。それらの実施形態は、本願では「例」とも呼ばれる。そのような例は、図示又は記載されているものに加えて、更なる要素を含んでよい。しかし、本発明者は、図示又は記載されている要素のみが設けられている例も考えている。更には、本発明者は、特定の例（又はその１つ以上の態様）に関して、あるいは、本願に図示又は記載されている例（又はその１つ以上の態様）に関して、図示又は記載されている要素の如何なる結合又は置換も用いる例も考えている。
【０１６２】
本明細書において言及されている全ての刊行物、特許、及び特許文献は、あたかも参照によりここに組み込まれているかのように、それらの全文を参照により本願に援用される。本明細書と参照によりそのように援用されるそれらの文献との間の矛盾した使用が生じた場合には、援用される参考文献における使用は、本明細書における使用に対する補足と見なされるべきである。すなわち、妥協しがたい矛盾については、本明細書における使用が制御する。
【０１６３】
本明細書において、語「１つの」（不定冠詞a又はanの使用）は、特許文献で見られるように、「少なくとも１つ（at  least  one）」又は「１つ以上（one  or  more）」の如何なる他のインスタンス又は使用と無関係に、１つ又は１つよりも多くを含めるよう使用される。本明細書において、語「又は、若しくは、あるいは（or）」は、特段示されない限りは、非排他的であることを指すように、あるいは、「Ａ又はＢ（A  or  B）」が「ＢではなくＡ」、「ＡではなくＢ」及び「Ａ及びＢ」を含むように使用される。添付の特許請求の範囲において、語「含む（including）」及び「〜ところの（in  which）」は、夫々の語「有する（comprising）」及び「〜ところの（wherein）」のプレイン・イングリッシュの相当語句として使用される。また、続く特許請求の範囲において、語「含む」及び「有する」は非制限的であり、すなわち、請求項においてそのような語の前に挙げられている要素に加えて、更なる要素を含むシステム、デバイス、アーティクル、又はプロセスは、依然としてその請求項の適用範囲内にあると見なされる。更には、続く特許請求の範囲において、語「第１」、「第２」及び「第３」などは、単にラベルとして使用され、それらの対象に数値的要件を課すよう意図されない。
【０１６４】
前述の説明は、制限ではなく、実例であるよう意図される。例えば、前述の例（又はその１つ以上の態様）は、互いに組み合わせて使用されてよい。他の実施形態は、例えば、前述の説明を検討することで当業者によって、使用される。要約は、技術的開示の本質を即座に確かめることを読者に可能にすべきであり、特許請求の範囲の適用範囲又は意義を解釈又は制限するために使用されないとの理解の下で提出される。また、前述の詳細な説明において、様々な特徴は、本開示を合理化するようまとめられてよい。これは、請求されてはない開示されている特徴が如何なる請求項にとっても必須であることを意図するものとして解釈されるべきでない。むしろ、発明の対象は、特定の開示されている実施形態の全てではない特徴にあり得る。よって、続く特許請求の範囲は、これをもって詳細な説明に組み込まれ、夫々の請求項は別々の実施形態として自立する。実施形態の適用範囲は、添付の特許請求の範囲が権利を有している均等の全範囲とともに、添付の特許請求の範囲を参照して決定されるべきである。
【図１】
2017534988.tif 000003
【図２】
2017534988.tif 000004
【図３】
2017534988.tif 000005
【図４】
2017534988.tif 000006
【図５】
2017534988.tif 000007
【図６Ａ】
2017534988.tif 000008
【図６Ｂ】
2017534988.tif 000009
【図６Ｃ】
2017534988.tif 000010
【図６Ｄ】
2017534988.tif 000011
【図７】
2017534988.tif 000012
【図８】
2017534988.tif 000013
【国際調査報告】
2017534988.tif 000014
2017534988.tif 000015